(57)【特許請求の範囲】
【請求項１】
カードを駆動源によって駆動される駆動ローラと該駆動ローラに対向配置される従動ローラによって挟み込み、第１の方向にカード走行をさせるように構成したカード走行路の切換機構において、上記従動ローラを上記駆動ローラの軸を中心として回動可能に設けた支持部材に支持させ、上記支持部材が上記第１の方向とは異なる第２の方向にカード走行をさせる位置まで回動可能となし、上記支持部材の位置を変えることでカードの走行方向を変えるようにしたことを特徴とするカード走行路の切換機構。
【請求項２】
上記支持部材を上記第１の方向にカード走行をさせる位置に保持するとともにその保持を解除できる保持手段を設け、上記第２の方向にカード走行をさせるときには上記保持手段の保持を解除するようにしたことを特徴とする請求項１記載のカード走行路の切換機構。
【請求項３】
上記駆動ローラの軸と従動ローラの支持部材とは摩擦係合しており、上記駆動ローラの軸の回転方向に上記支持部材は回動するようになされ、上記支持部材の回動位置を規制するストッパが設けられたことを特徴とする請求項１又は２記載のカード走行路の切換機構。
【請求項４】
上記カードが上記駆動ローラと従動ローラとによって挟み込まれたことを検出する検出手段を設け、カード走行路の切換時に上記検出手段の検出出力によって上記保持手段を駆動して保持解除を行うようにしたことを特徴とする請求項２又は３記載のカード走行路の切換機構。
【請求項５】
上記第２の方向にカード収納受け部を設けたことを特徴とする請求項１から４のいずれか記載のカード走行路の切換機構。
【発明の詳細な説明】
【０００１】
【発明の属する技術分野】
本発明はカード走行路の切換機構に関する。更に詳述すると、本発明はゴムローラによってカードを搬送しながら走行路を切り換えるカード走行路の切換機構に関するものである。
【０００２】
【従来の技術】
カードを取り扱う装置にはカード走行路の切換機構が設けられている。例えばカード発行装置では、カード発行時に何らかのエラーのあったカードを廃券入れに送るためにカード走行路の切換機構を設けている。従来のカード走行路の切換機構はカード走行路の近傍にフラップを取り付けておき、エラーカードを廃券入れに送る場合にフラップをカード走行路内に侵入させるようにしていた。カード走行路を搬送されてきたカードはこのフラップに当たって湾曲しながら進行方向を変えられ、通常のカード走行路から外れて廃券入れに向けて送り出される。
【０００３】
【発明が解決しようとする課題】
しかしながら、上述のカード走行路の切換機構では、フラップによってカードを強制的に湾曲させながら送り出し方向を変えているので、カードに無理な曲げ力が作用してしまう。このため、カードに亀裂が生じることがあり、また、ＩＣカードの場合にはＩＣ配線の断線の原因になっていた。一方、カード走行路内へのフラップの侵入量を少なくしカードを緩やかに湾曲させてカードに作用する曲げ力を減少させることも考えられるが、この場合には走行路切換に長距離を要してしまい、カード走行路の切換機構ひいては当該機構を組み込んだ装置が大型化してしまう。さらに、特に厚いカードの場合にはカードを大きく湾曲させることができず、この場合にも走行路切換に長距離を要してしまい、同様にカード走行路の切換機構ひいては当該機構を組み込んだ装置が大型化してしまう。
【０００４】
本発明は、カードを無理に湾曲させることなくカードの走行路を切り換えることが可能で、小型化が可能なカード走行路の切換機構を提供することを目的とする。
【０００５】
【課題を解決するための手段】
かかる目的を達成するために請求項１記載の発明は、カードを駆動源によって駆動される駆動ローラと該駆動ローラに対向配置される従動ローラによって挟み込み、第１の方向にカード走行をさせるように構成したカード走行路の切換機構において、従動ローラを駆動ローラの軸を中心として回動可能に設けた支持部材に支持させ、支持部材が第１の方向とは異なる第２の方向にカード走行をさせる位置まで回動可能となし、支持部材の位置を変えることでカードの走行方向を変えるようにしたものである。
【０００６】
したがって、支持部材の位置を変える前の状態では、カードは駆動ローラと従動ローラはカードを第１の方向に送り出す。この状態より、支持部材を駆動ローラの軸を中心に回動させて位置を変えると、駆動ローラと従動ローラはカードを第２の方向に送り出す。
【０００７】
また、請求項２記載のカード走行路の切換機構は、支持部材を第１の方向にカード走行をさせる位置に保持するとともにその保持を解除できる保持手段を設け、第２の方向にカード走行をさせるときには保持手段の保持を解除するようにしたものである。したがって、保持手段が支持部材を保持している場合には、カードは第１の方向に送り出される。一方、保持手段の保持を解除すると、カードは第２の方向に送り出される。
【０００８】
また、請求項３記載のカード走行路の切換機構は、駆動ローラの軸と従動ローラの支持部材とは摩擦係合しており、駆動ローラの軸の回転方向に支持部材は回動するようになされ、支持部材の回動位置を規制するストッパが設けられたものである。したがって、保持手段による支持部材の保持が解除されると、ストッパに当たるで駆動ローラと支持部材及び従動ローラとは一体的に駆動ローラの軸を中心に回動する。即ち、第１の方向から第２の方向に切り換えられる。
【０００９】
また、請求項４記載のカード走行路の切換機構は、カードが駆動ローラと従動ローラとによって挟み込まれたことを検出する検出手段を設け、カード走行路の切換時に検出手段の検出出力によって保持手段を駆動して保持解除を行うようにしたものである。したがって、カード走行路の切換時にカードが駆動ローラと従動ローラに挟み込まれたことを検出手段が検出すると、保持手段による支持部材の保持が解除され、駆動ローラと従動ローラとがカードを挟み込んだ状態でこれを送り出すことなく駆動ローラの軸を中心に一体となって回動する。
【００１０】
さらに、請求項５記載のカード走行路の切換機構は、第２の方向にカード収納受け部を設けたものである。したがって、第２の方向に送り出されたカードはカード収納受け部に収納される。
【００１１】
【発明の実施の形態】
以下、本発明の構成を図面に示す最良の形態に基づいて詳細に説明する。
【００１２】
図１に本発明を適用したカード走行路の切換機構の実施形態の一例を示す。なお、本実施形態では、カード走行路の切換機構１をカード発行装置のカードリーダ１３に取り付けている。
【００１３】
このカード走行路の切換機構（以下、単に切換機構という）１は、カード４を図示しない駆動源によって駆動される駆動ローラ２と該駆動ローラ２に対向配置される従動ローラ３によって挟み込み、通常時には第１の方向Ａにカード走行をさせるように構成したもので、従動ローラ３を駆動ローラ２の軸５を中心として回動可能に設けた支持部材６によって支持している。尚、図の右側にもカード走行路は形成されているが、一般的な機構であるので省略する。
【００１４】
支持部材６は、支持部材６が第１の方向Ａとは異なる第２の方向Ｂにカード走行をさせる位置（図１中二点鎖線位置）まで回動可能となっており、走行路切換時には支持部材６の位置を変えることでカード４の走行方向を変えるようにしている。本実施形態では、支持部材６が第２の方向Ｂにカード走行させる位置には当該支持部材６の回動位置を規制するストッパ１０が設けられており、支持部材６はこのストッパ１０に当たるまで回動可能となっている。なお、駆動ローラ２の軸５と従動ローラ３の支持部材６とは摩擦係合しており、駆動ローラ２が回転すると支持部材６は駆動ローラ２の軸５の回転方向に回動する。
【００１５】
この切換機構１には支持部材６を第１の方向Ａにカード走行をさせる位置（図１中実線位置）に保持するとともにその保持を解除できる保持手段７が設けられており、第２の方向Ｂにカード走行をさせるときには保持手段７の保持を解除するようにしている。本実施形態では、カードリーダ１３に取り付けられたソレノイド８と該ソレノイド８によって操作される回動レバー９とを備えて保持手段７を構成している。ソレノイド８がオフ状態となっている場合には、図１中実線で示すように回動レバー９は支持部材６を第１の方向Ａにカート走行させる位置に保持している。この状態からソレノイド８がオン操作されると、ソレノイド８は回動レバー９を回動させて支持部材６から外し支持部材６の回動を可能にする。
【００１６】
この切換機構１はカード４が駆動ローラ２と従動ローラ３とによって挟み込まれたことを検出する検出手段１１を設けており、カード走行路の切換時に検出手段１１の検出出力によって保持手段７を駆動して即ちソレノイド８をオン操作して支持部材６の保持解除を行うようにしている。また、切換機構１は、第２の方向Ｂにカード収納受け部１２を設けている。このカード収納受け部１２は例えば引き出し式のものであり、図中矢印Ｄ方向に取り出し、挿入される。
【００１７】
なお、駆動ローラ２には図示しないピンクラッチを設けてカード収納受け部１２に搬送するカード４をカード収納受け部１２内に勢い良く飛ばし、カード４が正常に積層される様にするのがよい。具体的には、駆動ローラ２をピンを介して駆動軸に係合させ、駆動力をピンを介して伝達するようにする。このようにすると逆方向にかなり大きなバックラッシュを有することになり、このため、カード４が駆動ローラ２から離れる時には、従動ローラ３の押圧でカード端が押され、駆動軸の回転より速く駆動ローラ２が回転することになり、カード４を勢いよくはじき飛ばすことができる。このようにすれば既にカード収納受け部１２内に収納されているカード４とエンボス文字等の凹凸が嵌まり合うようにしてカード４が正常に積層される様にすることがよりスムーズに行える。
【００１８】
次に、切換機構１の作動について説明する。保持手段７のソレノイド８がオフ状態になっている場合には、支持部材６が回動レバー９によって保持されているので、駆動ローラ２と従動ローラ３はカード４を第１の方向Ａ即ちカードリーダ１３に向けて送り出す。
【００１９】
この状態より、第２の方向Ｂ即ちカード収納受け部１２に向けてカード４を搬送する場合には、検出手段１１によってカード４の先端を検出した後ソレノイド８をオン操作する。ソレノイド８がオン操作されると、回動レバー９が支持部材６から外れる。駆動ローラ２の軸５と支持部材６とは摩擦係合しているので、駆動ローラ２の回転により当該駆動ローラ２、従動ローラ３及び支持部材６は一体となって回動する。即ち、駆動ローラ２と従動ローラ３とはカード４を送るような回転を行わずに、従動ローラ３は駆動ローラ２のまわりを公転するように動き、駆動ローラ２と従動ローラ３がカード４の先端部を挟んだ状態で軸５を中心に一体的に回動し始める。なお、支持部材６が回動レバー９から外れた後にはソレノイド８はオフ状態となり、省電力設計となっている。
【００２０】
そして、支持部材６がストッパ１０に当たると、支持部材６及び従動ローラ３は軸５を中心に回動出来なくなるので、従動ローラ３は駆動ローラ２の自転に対して反対方向に自転し始める。即ち、駆動ローラ２と従動ローラ３はカード収納受け部１２に向けてカード４を送り出す。
【００２１】
カード４をカード収納受け部１２に払い出し終わると、駆動ローラ２は逆回転し始める。これにより、支持部材６及び従動ローラ３は軸５を中心に上述の場合とは逆方向に回動し始め、図１中実線位置に戻る。したがって、次に送られて来たカード４は第１の方向Ａに向けて送り出される。
【００２２】
この様に、切換機構１ではカード４を湾曲させることなく送り出し方向（カード走行方向）を切り換えることが出来るので、カードに無理な曲げ力が作用することはない。したがって、カードの破損やＩＣ配線の断線を招くことがなく、カード寿命を延ばすことができる。また、軸５を中心にカード４を回動させてカード走行方向を切り換えるので、方向切換に要するスペースが僅かで足りる。このため、切換機構１を小型化することができる。また、切換機構１の構造を簡単にすることができるので、信頼性を向上させることができる。
【００２３】
また、駆動ローラ２の回転力を利用して支持部材６及び従動ローラ３を回動させるので、カード走行路を切り換えるために特別な大きな動力を必要とせず、製造コストを抑えることができる。
【００２４】
さらに、カード走行路の切り換えをソレノイド８の動作のみで行えるので省電力となり、大型の電源を必要としない。
【００２５】
なお、上述の形態は本発明の好適な形態の一例ではあるがこれに限定されるものではなく本発明の要旨を逸脱しない範囲において種々変形実施可能である。例えば、上述の説明では駆動ローラ２と従動ローラ３とを支持部材６によって連結するようにしているが、図２に示すように、ばね１４によって駆動ローラ２と従動ローラ３とを一定の圧力で押し付けるようにした支持部材６によって各ローラ２，３を連結するようにしても良い。
【００２６】
【発明の効果】
以上説明したように、請求項１記載のカード走行路の切換機構では、従動ローラを駆動ローラの軸を中心として回動可能に設けた支持部材に支持させ、支持部材が第１の方向とは異なる第２の方向にカード走行をさせる位置まで回動可能となし、支持部材の位置を変えることでカードの走行方向を変えるようにしたので、支持部材を駆動ローラの軸を中心に回転させることでカードの送り出し方向を変えることができる。このため、カードを湾曲させずにカード走行路を切り換えることができ、カードの破損やＩＣ配線の断線を防止してカード寿命を延ばすことができる。また、小さなスペースでカード走行路を切り換えることができるので、カード走行路の切換機構を小型化することができる。
【００２７】
また、請求項２記載のカード走行路の切換機構では、支持部材を第１の方向にカード走行をさせる位置に保持するとともにその保持を解除できる保持手段を設け、第２の方向にカード走行をさせるときには保持手段の保持を解除するようにしたので、保持手段によってカード走行路の切り換えを操作することが出来る。
【００２８】
また、請求項３記載のカード走行路の切換機構では、駆動ローラの軸と従動ローラの支持部材とは摩擦係合しており、駆動ローラの軸の回転方向に支持部材は回動するようになされ、支持部材の回動位置を規制するストッパが設けられたので、駆動ローラの回転によってカード走行路を切り換えることが出来る。このため、走行路切換のために特別のアクチュエータを必要とせず、低コストでカード走行路の切換機構を提供することができる。
【００２９】
また、請求項４記載のカード走行路の切換機構では、カードが駆動ローラと従動ローラとによって挟み込まれたことを検出する検出手段を設け、カード走行路の切換時に検出手段の検出出力によって保持手段を駆動して保持解除を行うようにしたので、カード走行路を切り換える場合に駆動ローラと従動ローラとがカードを狭持したことを検出することができる。このため、カードの送り方向の切り換えを確実に行うことができる。
【００３０】
さらに、請求項５記載のカード走行路の切換機構では、第２の方向にカード収納受け部を設けたので、第２の方向に送り出したカードをカード収納受け部に収納することができる。
【図面の簡単な説明】
【図１】本発明を適用したカード走行路の切換機構の実施形態の一例を示す概略構成図である。
【図２】本発明を適用したカード走行路の切換機構の他の実施形態を示し、その支持部材の拡大図である。
【符号の説明】
１  カード走行路の切換機構
２  駆動ローラ
３  従動ローラ
４  カード
５  駆動ローラの軸
６  支持部材
７  保持手段
１０  ストッパ
１１  検出手段
１２  カード収納受け部
【図１】
0003648390.tif 000002
【図２】
0003648390.tif 000003